(57)【特許請求の範囲】
【請求項１】
シグナリング用の仮想パス識別子（ＶＰＩ）及び仮想チャネル識別子（ＶＣＩ）を割り付けたシグナリング仮想チャネル（ＳＶＣ）により、ＡＴＭ交換機システムが収容する加入者端末との間で通信呼設定情報を送受し、該通信呼設定情報により該加入者端末に通信路を設定するＡＴＭ交換機システムにおいて、
前記加入者端末から呼接続要求が発生したとき又は該加入者端末へ着信を通知するときにのみ、通信路の全ての帯域の中から任意に選択された仮想パス識別子（ＶＰＩ）及び仮想チャネル識別子（ＶＣＩ）が、シグナリング用の仮想パス識別子（ＶＰＩ）及び仮想チャネル識別子（ＶＣＩ）として使用可能であるか否かを判断し、使用可能であればシグナリング仮想チャネルの帯域を補足して該加入者端末との間にシグナリング仮想チャネル（ＳＶＣ）を設定し、
該シグナリング仮想チャネル（ＳＶＣ）により通信呼設定情報を送受して前記加入者端末に対して通信路を設定した後は、前記シグナリング仮想チャネル（ＳＶＣ）解放することを特徴とするＡＴＭ交換機システムにおけるシグナリング仮想チャネル制御方法。
【請求項２】
前記加入者端末から呼接続要求が発生したとき又は該加入者端末へ着信を通知するときに、前記ＡＴＭ交換機システム及び前記加入者端末の双方において使用可能なシグナリング用の仮想パス識別子（ＶＰＩ）及び仮想チャネル識別子（ＶＣＩ）を決定して割り付け、
選定したシグナリング用の仮想パス識別子（ＶＰＩ）及び仮想チャネル識別子（ＶＣＩ）が、前記ＡＴＭ交換機システム又は前記加入者端末において使用可能でないときは、別のシグナリング用の仮想パス識別子（ＶＰＩ）及び仮想チャネル識別子（ＶＣＩ）を抽出し、再度、使用可能なシグナリング用の仮想パス識別子（ＶＰＩ）及び仮想チャネル識別子（ＶＣＩ）を決定して割り付ける処理を複数回行うことを特徴とする請求項１記載のＡＴＭ交換機システムにおけるシグナリング仮想チャネル制御方法。
【請求項３】
前記シグナリング仮想チャネル（ＳＶＣ）により通信呼設定情報を送受して加入者端末に対して通信路を設定し、前記シグナリング仮想チャネル（ＳＶＣ）解放した後、
予め加入者端末毎に決められた通信時間が満了したとき、該加入者端末毎の通信路を切断することを特徴とする請求項１又は２記載のＡＴＭ交換機システムにおけるシグナリング仮想チャネル制御方法。
【請求項４】
前記シグナリング仮想チャネル（ＳＶＣ）により通信呼設定情報を送受して加入者端末に対して通信路を設定し、前記シグナリング仮想チャネル（ＳＶＣ）解放した後、
前記通信呼設定情報に含まれる通信要求時間を通信時間として設定し、その時間が満了したとき、該加入者端末毎の通信路を切断することを特徴とする請求項１又は２記載のＡＴＭ交換機システムにおけるシグナリング仮想チャネル制御方法。
【請求項５】
シグナリング用の仮想パス識別子（ＶＰＩ）及び仮想チャネル識別子（ＶＣＩ）を割り付けたシグナリング仮想チャネル（ＳＶＣ）により、ＡＴＭ交換機システムが収容する加入者端末との間で通信呼設定情報を送受し、該通信呼設定情報により該加入者端末に通信路を設定するＡＴＭ交換機システムにおいて、
前記加入者端末から呼接続要求時に送信され、通信路の全ての帯域の中の任意の仮想パス識別子（ＶＰＩ）及び仮想チャネル識別子（ＶＣＩ）を含む信号を受信する信号管理部と、
該仮想パス識別子（ＶＰＩ）及び仮想チャネル識別子（ＶＣＩ）がシグナリング用の仮想パス識別子（ＶＰＩ）及び仮想チャネル識別子（ＶＣＩ）として使用可能であるか否かを判断し、使用可能であればシグナリング仮想チャネルの帯域を補足する帯域管理部と、
加入者端末へ着信を通知するときにシグナリング用の仮想パス識別子（ＶＰＩ）及び仮想チャネル識別子（ＶＣＩ）を通信路の全ての帯域の中から選定し、該シグナリング用の仮想パス識別子（ＶＰＩ）及び仮想チャネル識別子（ＶＣＩ）が使用可能であるか否かを前記帯域管理部に問い合わせ、使用可能なシグナリング用の仮想パス識別子（ＶＰＩ）及び仮想チャネル識別子（ＶＣＩ）を着信加入者端末へ送信するよう指示する仮想チャネル（ＳＶＣ）プロトコル制御部とを備え、
更に、前記仮想チャネル（ＳＶＣ）プロトコル制御部は、加入者端末間の通信路の設定が完了した後、シグナリング仮想チャネルの切断を指示する構成を有することを特徴とするＡＴＭ交換機システムにおけるシグナリング仮想チャネル制御装置。
【請求項６】
前記仮想チャネル（ＳＶＣ）プロトコル制御部は、加入者端末へ着信を通知するときに、前記ＡＴＭ交換機システム及び前記加入者端末の双方において使用可能なシグナリング用の仮想パス識別子（ＶＰＩ）及び仮想チャネル識別子（ＶＣＩ）を決定して割り付け、
選定したシグナリング用の仮想パス識別子（ＶＰＩ）及び仮想チャネル識別子（ＶＣＩ）が、前記加入者端末において使用可能なシグナリング用の仮想パス識別子（ＶＰＩ）及び仮想チャネル識別子（ＶＣＩ）でないときは、別のシグナリング用の仮想パス識別子（ＶＰＩ）及び仮想チャネル識別子（ＶＣＩ）を抽出し、再度、使用可能なシグナリング用の仮想パス識別子（ＶＰＩ）及び仮想チャネル識別子（ＶＣＩ）を決定して割り付ける処理を複数回行う構成を有することを特徴とする請求項５記載のＡＴＭ交換機システムにおけるシグナリング仮想チャネル制御装置。
【請求項７】
前記仮想チャネル（ＳＶＣ）プロトコル制御部は、前記シグナリング仮想チャネル（ＳＶＣ）により通信呼設定情報を送受して加入者端末に対して通信路を設定し、前記シグナリング仮想チャネル（ＳＶＣ）解放した後、
予め加入者端末毎に決められた通信時間が満了したとき、該加入者端末毎の通信路を切断する指示を送出する構成を有することを特徴とする請求項５又は６記載のＡＴＭ交換機システムにおけるシグナリング仮想チャネル制御装置。
【請求項８】
前記仮想チャネル（ＳＶＣ）プロトコル制御部は、前記シグナリング仮想チャネル（ＳＶＣ）により通信呼設定情報を送受して加入者端末に対して通信路を設定し、前記シグナリング仮想チャネル（ＳＶＣ）を解放した後、
前記通信呼設定情報に含まれる通信要求時間を通信時間として設定し、その時間が満了したとき、該加入者端末毎の通信路を切断する指示を送出する構成を有することを特徴とする請求項５又は６記載のＡＴＭ交換機システムにおけるシグナリング仮想チャネル制御装置。
【発明の詳細な説明】
【０００１】
【発明の属する技術分野】
本発明は、シグナリング仮想チャネル（ＳＶＣ：Ｓｉｇｎａｌｉｎｇ  Ｖｉｒｔｕａｌ  Ｃｈａｎｎｅｌ）により伝達されるシグナリング情報に従って、通信路を設定するＡＴＭ（Ａｓｙｎｃｈｒｏｎｏｕｓ  Ｔｒａｎｓｆｅｒ  Ｍｏｄｅ）交換機システムに関し、特に、シグナリング情報を伝達するシグナリング仮想チャネル（ＳＶＣ）を設定及び解放する制御方法及び装置に関する。
【０００２】
【従来の技術】
従来のＡＴＭ交換機システムにおいて、各加入者端末に対してシグナリング仮想チャネル（ＳＶＣ）を常時設定し、加入者端末からシグナリング仮想チャネル（ＳＶＣ）により送信される呼接続のためのシグナリング情報を受信し、該シグナリング情報に従って、加入者端末の通信情報を転送するための通信路を設定し、又その解放を行っている。
【０００３】
従来のシグナリング仮想チャネル（ＳＶＣ）の設定は、シグナリング仮想チャネル（ＳＶＣ）用に予め登録され決まっている仮想パス識別子（ＶＰＩ：Ｖｉｒｔｕａｌ  Ｐａｔｈ  Ｉｄｅｎｔｉｆｉｅｒ）及び仮想チャネル識別子（ＶＣＩ：Ｖｉｒｔｕａｌ  Ｃｈａｎｎｅｌ  Ｉｄｅｎｔｉｆｉｅｒ）を、加入者端末毎に割り付け、この各シグナリング用の仮想パス識別子（ＶＰＩ）及び仮想チャネル識別子（ＶＣＩ）毎に、シグナリング情報伝達のための伝送帯域を割り当てることにより設定される。
【０００４】
そのため、通信呼の有無に関係なく、通信路上にシグナリング仮想チャネル（ＳＶＣ）の帯域が常に確保され、何時でも加入者端末はＡＴＭ交換機システムに対し、このシグナリング仮想チャネル（ＳＶＣ）により、呼接続要求（通信情報を転送すための通信路設定要求）及び終話切断要求（該通信路切断要求）を行うことができる。
【０００５】
【発明が解決しようとする課題】
しかし、このように通信呼の有無に関係なく、シグナリング仮想チャネル（ＳＶＣ）の帯域を通信路上に常に確保しておくことは、通信路が有効に利用されていないこととなる。又、通信呼生起中でも、通信路設定後、即ち通信情報転送中は、シグナリング仮想チャネル（ＳＶＣ）を使用する必要が無いにもかかわらず、通信路の帯域の一部がシグナリング情報送信用に確保されているため、通信路の最大帯域が通信情報本体の送信に有効に使用されてないということになる。
【０００６】
又、シグナリング仮想チャネル（ＳＶＣ）は、予め登録されて決められている仮想パス識別子（ＶＰＩ）及び仮想チャネル識別子（ＶＣＩ）を使用するため、加入者端末は、接統先のＡＴＭ交換機システムに割り当てられたシグナリング用の仮想パス識別子（ＶＰＩ）及び仮想チャネル識別子（ＶＣＩ）を認識した上で、呼接続要求を行わなくてはならない。
【０００７】
そのため、特に、持ち運び可能な通信端末を使用し、接続先のＡＴＭ交換機システムとのインタフェースが常に異なる通信端末を使用する加入者は、それぞれのＡＴＭ交換機システム毎に異なるシグナリング用の仮想パス識別子（ＶＰＩ）及び仮想チャネル識別子（ＶＣＩ）を用いてシグナリング情報を送信しなければならず、呼接続要求手順が煩雑なものとなっていた。
【０００８】
本発明は、シグナリング仮想チャネル（ＳＶＣ）により加入者端末とシグナリング情報を送受するＡＴＭ交換機システムにおいて、シグナリング仮想チャネル（ＳＶＣ）を必要な時のみ設定し、従来シグナリング情報伝達用に確保されていた帯域を、通信情報の転送に有効に利用することができるＡＴＭ交換機システムを提供することを目的とする。
【０００９】
又、接続先のＡＴＭ交換機システムと異なるインタフェースの加入者端末が、それぞれのＡＴＭ交換機システムに登録されたシグナリング用の仮想パス識別子（ＶＰＩ）及び仮想チャネル識別子（ＶＣＩ）の固有値を認識することなく、シグナリング情報を送受することができるＡＴＭ交換機システムを提供することを目的とする。
【００１０】
【課題を解決するための手段】
シグナリング仮想チャネル（ＳＶＣ）は、呼接続要求時及び通信路解放時のみ必要であるが、通信情報の転送中は必要がない。そのため、呼接続要求により通信路を設定した後は、シグナリング仮想チャネル（ＳＶＣ）の帯域を、通信情報転送用の帯域として使用することが可能である。
【００１１】
そこで、上記課題を解決するために本発明のＡＴＭ交換機システムにおけるシグナリング仮想チャネル制御方法は、（１）シグナリング用の仮想パス識別子（ＶＰＩ）及び仮想チャネル識別子（ＶＣＩ）を割り付けたシグナリング仮想チャネル（ＳＶＣ）により、ＡＴＭ交換機システムが収容する加入者端末との間で通信呼設定情報を送受し、該通信呼設定情報により該加入者端末に通信路を設定するＡＴＭ交換機システムにおいて、前記加入者端末から呼接続要求が発生したとき又は該加入者端末へ着信を通知するときにのみ、通信路の全ての帯域の中の任意から任意に選択された仮想パス識別子（ＶＰＩ）及び仮想チャネル識別子（ＶＣＩ）が、シグナリング用の仮想パス識別子（ＶＰＩ）及び仮想チャネル識別子（ＶＣＩ）として使用可能であるか否かを判断し、使用可能であればシグナリング仮想チャネルの帯域を補足して該加入者端末との間にシグナリング仮想チャネル（ＳＶＣ）を設定し、該シグナリング仮想チャネル（ＳＶＣ）により通信呼設定情報を送受して前記加入者端末に対して通信路を設定した後は、前記シグナリング仮想チャネル（ＳＶＣ）を解放するものである。
【００１２】
この構成により、発呼又は着呼による呼接続要求が発生したときのみ、シグナリング仮想チャネル（ＳＶＣ）を設定し、通信路の設定が完了して通信が行われるときには、シグナリング仮想チャネル（ＳＶＣ）を解放するので、通信中に通信路上の一部の帯域がシグナリング仮想チャネル（ＳＶＣ）により占有されることがなく、通信路の帯域を有効に利用することができる。
【００１３】
又、（２）前記加入者端末から呼接続要求が発生したとき又は該加入者端末へ着信を通知するときに、前記ＡＴＭ交換機システム及び前記加入者端末の双方において使用可能なシグナリング用の仮想パス識別子（ＶＰＩ）及び仮想チャネル識別子（ＶＣＩ）を決定して割り付け、選定したシグナリング用の仮想パス識別子（ＶＰＩ）及び仮想チャネル識別子（ＶＣＩ）が、前記ＡＴＭ交換機システム又は前記加入者端末において使用可能でないときは、別のシグナリング用の仮想パス識別子（ＶＰＩ）及び仮想チャネル識別子（ＶＣＩ）を抽出し、再度、使用可能なシグナリング用の仮想パス識別子（ＶＰＩ）及び仮想チャネル識別子（ＶＣＩ）を決定して割り付ける処理を複数回行うものである。
【００１４】
通信のトラフィック輻輳等により、シグナリング仮想チャネル（ＳＶＣ）が、１回の割り付け処理では設定されなかった場合でも、このように割り付け処理を複数回繰り返すことにより、シグナリング仮想チャネル（ＳＶＣ）が設定されずに通信不能となる確率を減少させることができる。
【００１５】
又、（３）前記シグナリング仮想チャネル（ＳＶＣ）により通信呼設定情報を送受して加入者端末に対して通信路を設定し、前記シグナリング仮想チャネル（ＳＶＣ）解放した後、予め加入者端末毎に決められた通信時間が満了したとき、該加入者端末毎の通信路を切断するものである。
【００１６】
又、（４）前記シグナリング仮想チャネル（ＳＶＣ）により通信呼設定情報を送受して加入者端末に対して通信路を設定し、前記シグナリング仮想チャネル（ＳＶＣ）解放した後、前記通信呼設定情報に含まれる通信要求時間を通信時間として設定し、その時間が満了したとき、該加入者端末毎の通信路を切断するものである。
【００１９】
又、本発明のＡＴＭ交換機システムにおけるシグナリング仮想チャネル制御装置は、（５）シグナリング用の仮想パス識別子（ＶＰＩ）及び仮想チャネル識別子（ＶＣＩ）を割り付けたシグナリング仮想チャネル（ＳＶＣ）により、ＡＴＭ交換機システムが収容する加入者端末との間で通信呼設定情報を送受し、該通信呼設定情報により該加入者端末に通信路を設定するＡＴＭ交換機システムにおいて、前記加入者端末から呼接続要求時に送信され、通信路の全ての帯域の中の任意の仮想パス識別子（ＶＰＩ）及び仮想チャネル識別子（ＶＣＩ）を含む信号を受信する信号管理部と、該仮想パス識別子（ＶＰＩ）及び仮想チャネル識別子（ＶＣＩ）がシグナリング用の仮想パス識別子（ＶＰＩ）及び仮想チャネル識別子（ＶＣＩ）として使用可能であるか否かを判断し、使用可能であればシグナリング仮想チャネルの帯域を補足する帯域管理部と、加入者端末へ着信を通知するときにシグナリング用の仮想パス識別子（ＶＰＩ）及び仮想チャネル識別子（ＶＣＩ）を通信路の全ての帯域の中から選定し、該シグナリング用の仮想パス識別子（ＶＰＩ）及び仮想チャネル識別子（ＶＣＩ）が使用可能であるか否かを前記帯域管理部に問い合わせ、使用可能なシグナリング用の仮想パス識別子（ＶＰＩ）及び仮想チャネル識別子（ＶＣＩ）を着信加入者端末へ送信するよう指示する仮想チャネル（ＳＶＣ）プロトコル制御部とを備え、更に、前記仮想チャネル（ＳＶＣ）プロトコル制御部は、加入者端末間の通信路の設定が完了した後、シグナリング仮想チャネルの切断を指示する構成を有するものである。
【００２０】
又、（６）前記仮想チャネル（ＳＶＣ）プロトコル制御部は、加入者端末へ着信を通知するときに、前記ＡＴＭ交換機システム及び前記加入者端末の双方において使用可能なシグナリング用の仮想パス識別子（ＶＰＩ）及び仮想チャネル識別子（ＶＣＩ）を決定して割り付け、選定したシグナリング用の仮想パス識別子（ＶＰＩ）及び仮想チャネル識別子（ＶＣＩ）が、前記加入者端末において使用可能なシグナリング用の仮想パス識別子（ＶＰＩ）及び仮想チャネル識別子（ＶＣＩ）でないときは、別のシグナリング用の仮想パス識別子（ＶＰＩ）及び仮想チャネル識別子（ＶＣＩ）を抽出し、再度、使用可能なシグナリング用の仮想パス識別子（ＶＰＩ）及び仮想チャネル識別子（ＶＣＩ）を決定して割り付ける処理を複数回行う構成を有するものである。
【００２１】
又、（７）前記仮想チャネル（ＳＶＣ）プロトコル制御部は、前記シグナリング仮想チャネル（ＳＶＣ）により通信呼設定情報を送受して加入者端末に対して通信路を設定し、前記シグナリング仮想チャネル（ＳＶＣ）を解放した後、予め加入者端末毎に決められた通信時間が満了したとき、該加入者端末毎の通信路を切断する指示を送出する構成を有するものである。
【００２２】
又、（８）前記仮想チャネル（ＳＶＣ）プロトコル制御部は、前記シグナリング仮想チャネル（ＳＶＣ）により通信呼設定情報を送受して加入者端末に対して通信路を設定し、前記シグナリング仮想チャネル（ＳＶＣ）を解放した後、前記通信呼設定情報に含まれる通信要求時間を通信時間として設定し、その時間が満了したとき、該加入者端末毎の通信路を切断する指示を送出する構成を有するものである。
【００２４】
【発明の実施の形態】
図１は本発明の実施の形態のＡＴＭ交換機システムの構成を示す図である。同図において、１０はＡＴＭ交換機システム、１１乃至１３は加入者インタフェース装置、１４はＡＴＭスイッチ、１５は信号制御装置、１６はプロセッサ、１７，１８は加入者端末機器、１９はビデオサーバ等のサーバである。
【００２５】
なお、図中、各装置間を接続する実線で示す信号路は、ＡＴＭセルが転送される経路を示し、一点鎖線の経路はＡＴＭスイッチ１０により設定される通信路を示し、又点線の信号路はＴＭ交換機システム内の装置間制御情報が送受される経路を示している。
【００２６】
加入者インタフェース装置１１〜１３は、ＡＴＭ交換機システム１０が収容する各加入者端末機器１７，１８又はサーバ１９等の装置（以下、それらを加入者端末という。）とＡＴＭスイッチ１４との間で双方向にセルを透過させる機能を有し、加入者端末１７〜１９から入力されたユーザセルをＡＴＭスイッチ１４に透過させ、又ＡＴＭスイッチ１４から入力されたスイッチ内セルをユーザセルに変換して加入者端末１７〜１９へ透過させるインタフェース機能を備えている。
【００２７】
ＡＴＭスイッチ１４は、入力されたスイッチ内セルの透過ルート情報（ＶＰＩ，ＶＣＩ）をチェックし、そのルート情報（ＶＰＩ，ＶＣＩ）に従ってＡＴＭスイッチインタフェースを持つ装置へセルを転送するように通信路を設定する構成を備えている。
【００２８】
信号制御装置１５は、加入者インタフェース装置１１〜１３と同様にＡＴＭスイッチインタフェースを有し、シグナリング仮想チャネル（ＳＶＣ）により送信される制御信号セル（シグナリング情報を含むセル）を、加入者端末１７〜１９からＡＴＭスイッチ１４を介して信号制御装置１５内の各ポートにより受信する。そして、受信した制御信号セルから呼接続制御信号を識別し、その内容をプロセッサ１６に通知する。
【００２９】
又、信号制御装置１５は、プロセッサ１６から各種のシグナリング情報送出要求を受け付け、プロセッサ１６により指定されるポートからシグナリング情報を含む制御信号セルを、シグナリング仮想チャネル（ＳＶＣ）によりＡＴＭスイッチ１４を介して加入者端末１７〜１９に送信する。
【００３０】
図２は本発明の実施の形態のＡＴＭ交換機システムのプロセッサ内の機能部を示す図である。同図において、１０はＡＴＭ交換機システム、１６はプロセッサ、１７は加入者端末機器（ａ）、１８は加入者端末機器（ｂ）、１９はビデオサーバ等のサーバ、２０はシグナリング仮想チャネル（ＳＶＣ）サービス制御部、２１は装置インタフェース制御部、２２はＳＳＣＯＰレイヤ制御部、２３はＡＴＭ交換機内各種装置である。
【００３１】
図２において、図１に示した構成要素と同一のものには同一の符号を付している。又、図２のＡＴＭ交換機内各種装置２３は、図１の加入者インタフェース装置１１〜１３、ＡＴＭスイッチ１４及び信号制御装置１５を含む各種装置の下位レイヤ（物理層）の機構部を一つのブロック内にまとめて示している。
【００３２】
ＳＳＣＯＰレイヤ制御部２２は、信号制御装置１５に備えられたファームウェア（ハードウェア及びソフトウェアの機構を有する機能部）で、プロセッサ１６の装置インタフェース制御部２１との間で、シグナリング情報をＳＳＣＯＰプロトコルにより転送する機能を有する。
【００３３】
ＳＳＣＯＰ（Ｓｅｒｖｉｃｅ  Ｓｐｅｃｉｆｉｃ  Ｃｏｎｎｅｃｔｉｏｎ  Ｏｒｉｅｎｔｅｄ  Ｐｒｏｔｏｃｏｌ）は、従来のＬＡＰＤのプロトコルに代わるコネクション型のプロトコルとして、広帯域ＩＳＤＮ用に開発された信号用ＡＴＭアダプテーションレイヤのプロトコルで、ユーザ・網インタフェースと交換局間インタフェースとで共通に使用されるプロトコルである。
【００３４】
プロセッサ１６は、シグナリング仮想チャネル（ＳＶＣ）サービス制御部２０及び装置インタフェース制御部２１を含み、シグナリング仮想チャネル（ＳＶＣ）サービス制御部２０は、シグナリング仮想チャネル（ＳＶＣ）パス制御部２０−１、帯域管理部２０−２、シグナリング仮想チャネル（ＳＶＣ）プロトコル制御部２０−３、シグナリング（Ｓｉｇ）管理部２０−４、プロトコル信号受信部２０−５、信号送信部２０−６、信号受信部２０−７及びタイマ管理部２０−８を備えている。なお、図２に示したプロセッサ１６内の機能部には、図１に示した信号制御装置１５内のプロセッサによる上位レイヤの機能部もまとめて示している。
【００３５】
図３は、本発明の実施の形態のシグナリング仮想チャネル（ＳＶＣ）の設定及び解放のシーケンスを示す図である。同図は、加入者端末と加入者インタフェース装置と信号制御装置とプロセッサとの間の信号送受のシーケンス並びにシグナリング仮想チャネル（ＳＶＣ）及び通信路の設定及び解放のシーケンスを示している。以下、図２及び図３をもとに、本発明のシグナリング仮想チャネル（ＳＶＣ）の設定及び解放の動作について説明する。
【００３６】
今、加入者端末（ａ）１７の電源が投入されると、加入者端末（ａ）１７とＡＴＭ交換機内各種装置２３内の加入者インタフェース装置との間でレイヤ１（物理層）の接続が確立される（３−１）。
【００３７】
その後、加入者端末（ａ）１７は、自端末で使用したいシグナリング用の仮想パス識別子（ＶＰＩ）及び仮想チャネル識別子（ＶＣＩ）を任意に選定してセルヘッダに設定し、ＳＳＣＯＰプロトコルのメッセージのＢＧＮ（開始）信号を加入者インタフェース装置に送信し、シグナリング仮想チャネル（ＳＶＣ）の設定要求を行う（３−２）。
【００３８】
ＡＴＭ交換機内各種装置２３内の加入者インタフェース装置は、信号制御装置のＳＳＣＯＰレイヤ制御部２２に対して、ＳＳＣＯＰプロトコルのメッセージを受信したことを通知するとともに、受信したセルのセルヘッダに設定された仮想パス識別子（ＶＰＩ）及び仮想チャネル識別子（ＶＣＩ）を抽出してそれらも同時に通知する（３−３）。
【００３９】
ＢＧＮ信号受信通知は、ＳＳＣＯＰレイヤ制御部２２からプロセッサ１６の装置インタフェース制御部２１へ通知され、装置インタフェース制御部２１から信号送信部２０−６を介してシグナリング（Ｓｉｇ）管理部２０−４へ通知される。
【００４０】
このときもＡＴＭ交換機内各種装置２３からＳＳＣＯＰレイヤ制御部２２に対して通知された仮想パス識別子（ＶＰＩ）及び仮想チャネル識別子（ＶＣＩ）をシグナリング（Ｓｉｇ）管理部２０−４へ通知する。
【００４１】
シグナリング（Ｓｉｇ）管理部２０−４は、受信した仮想パス識別子（ＶＰＩ）及び仮想チャネル識別子（ＶＣＩ）が、当該交換機システムにおいてシグナリング用として使用可能であるか否かを確認するため、帯域管理部２０−２に対して使用可否の問い合わせを行う（３−４）。
【００４２】
帯域管理部２０−２は、当該仮想パス識別子（ＶＰＩ）及び仮想チャネル識別子（ＶＣＩ）が使用可能であれば、予め登録された値又はデフォルト値を使用して、シグナリング用の伝送帯域を捕捉し、当該仮想パス識別子（ＶＰＩ）及び仮想チャネル識別子（ＶＣＩ）がシグナリング用として使用可能である旨をシグナリング（Ｓｉｇ）管理部２０−４へ返送する（３−５）。
【００４３】
シグナリング（Ｓｉｇ）管理部２０−４は、帯域管理部２０−２からの通知を受け取ると、信号送信部２０−６に対してＢＧＮ−ＡＣＫ（ＢＧＮ肯定応答）信号の送信を指示し、装置インタフェース制御部２１、ＳＳＣＯＰレイヤ制御部２２を経由して加入者端末（ａ）１７にＢＧＮ−ＡＣＫ信号を送出する（３−６）。
【００４４】
このようにしてＳＳＣＯＰレイヤのコネクションが加入者端末（ａ）と信号制御装置との間に確立し、シグナリング仮想チャネル（ＳＶＣ）が設定される（３−７）。このとき、シグナリング（Ｓｉｇ）管理部２０−４はタイマ管理部２０−８に対してタイマ設定要求を行う。タイマ設定要求の必要性については後に説明する。
【００４５】
その後、加入者端末（ａ）１７は、ＡＴＭ交換機システム１０に対して、使用許可された仮想パス識別子（ＶＰＩ）及び仮想チャネル識別子（ＶＣＩ）を付した制御信号セルにより、シグナリング情報を含むｓｅｔｕｐ（確立要求）信号を送信する（３−８）。
【００４６】
ｓｅｔｕｐ信号は、ＡＴＭ交換機内各種装置２３内の加入者インタフェース装置により受信され、ＳＳＣＯＰレイヤ制御部２２、装置インタフェース制御部２１を介して信号受信部２０−７へ通知される（３−９）。
【００４７】
信号受信部２０−７は、受信したｓｅｔｕｐ信号をシグナリング仮想チャネル（ＳＶＣ）サービス制御部２０で処理し易いように分析・正規化し、プロトコル信号受信部２０−５を介してシグナリング仮想チャネル（ＳＶＣ）プロトコル制御部２０−３にｓｅｔｕｐ信号受信を通知する。
【００４８】
シグナリング仮想チャネル（ＳＶＣ）プロトコル制御部２０−３は、受信したｓｅｔｕｐ信号内に含まれる着側加入者情報をもとに着側加入者を決定し、ｓｅｔｕｐ−ａｃｋ信号を信号制御装置、加入者インタフェース装置を経て加入者端末（ａ）１７に返送する（３−１０）。
【００４９】
前述のｓｅｔｕｐ信号内に含まれる着側加入者情報が、加入者端末（ｂ）１８への着信要求であったと仮定し、次に、この加入者端末（ｂ）１８に対するシグナリング仮想チャネル（ＳＶＣ）の設定処理を行う。
【００５０】
シグナリング仮想チャネル（ＳＶＣ）プロトコル制御部２０−３は、加入者端末（ｂ）１８に対するシグナリング情報伝達のための伝送帯域として、予めデフォルト値としてＡＴＭ交換機システムに設定された帯域、又は保守者により登録された帯域を確保するため、帯域管理部２０−２に対して、加入者端末（ｂ）１８用のシグナリング帯域の確保を要求する。
【００５１】
帯域管理部２０−２において、加入者端末（ｂ）１８用のシグナリング帯域が確保され、又、加入者端末（ｂ）１８のシグナリング用の仮想パス識別子（ＶＰＩ値）及び仮想チャネル識別子（ＶＣＩ）が正常に割り付けられた場合には、シグナリング（Ｓｉｇ）管理部２０−４に対してＳＳＣＯＰレイヤの確立を要求する（３−１１）。
【００５２】
その際、シグナリング仮想チャネル（ＳＶＣ）プロトコル制御部２０−３は、シグナリング（Ｓｉｇ）管理部２０−４に、加入者端末（ｂ）１８用に獲得したシグナリング帯域、シグナリング用の仮想パス識別子（ＶＰＩ）及び仮想チャネル識別子（ＶＣＩ）を引き渡す。
【００５３】
シグナリング（Ｓｉｇ）管理部２０−４は、信号送信部２０−６、装置インタフェース制御部２１及びＳＳＣＯＰレイヤ制御部２２を経由して、加入者端末（ｂ）１８のシグナリング用の仮想パス識別子（ＶＰＩ）及び仮想チャネル識別子（ＶＣＩ）の情報を含むＢＧＮ信号を送出する（３−１２）。
【００５４】
ＡＴＭ交換機内各種装置２３の加入者インタフェース装置（ｂ）は、セルヘッダに前述のシグナリング用の仮想パス識別子（ＶＰＩ）及び仮想チャネル識別子（ＶＣＩ）を設定した制御信号セルを加入者端末（ｂ）１８に送信する（３−１３）。
【００５５】
加入者端末（ｂ）１８は、当該仮想パス識別子（ＶＰＩ）及び仮想チャネル識別子（ＶＣＩ）が、シグナリング用として使用可能であれば、ＢＧＮ−ＡＣＫ信号を返送し、それによりＳＳＣＯＰレイヤが確立し、加入者端末（ｂ）１８のシグナリング仮想チャネル（ＳＶＣ）が設定される（３−１４）。
【００５６】
シグナリング仮想チャネル（ＳＶＣ）プロトコル制御部２０−３は、ｓｅｔｕｐ信号を送出して着信接続のプロトコル信号の送受信を行い（３−１５）、シグナリング手順ににより、加入者端末（ｂ）１８の着信応答を検出し、以降、通常のプロトコルを使用して加入者端末（ａ）１７と加入者端末（ｂ）１８との間に通信路を設定する（３−１６）。
【００５７】
このとき、帯域捕捉が必要になった場合には、シグナリング仮想チャネル（ＳＶＣ）プロトコル制御部２０−３より、帯域管理部２０−２に対して必要な帯域を捕捉し、シグナリング仮想チャネル（ＳＶＣ）パス制御部２０−１によって加入者端末（ａ）１７と加入者端末（ｂ）１８との間の通信路の設定が行われる。
【００５８】
なお、前述のシーケンス（３−１４）において、加入者端末（ｂ）１８が受信した仮想パス識別子（ＶＰＩ）及び仮想チャネル識別子（ＶＣＩ）が、シグナリング用として使用可能でなければ、加入者端末（ｂ）１８よりＥＮＤ（終了）信号が送信され、ＥＮＤ信号を受信したシグナリング仮想チャネル（ＳＶＣ）プロトコル制御部２０−３は、既に獲得したシグナリング用の仮想パス識別子（ＶＰＩ）及び仮想チャネル識別子（ＶＣＩ）とその帯域を一旦解放するため、帯域管理部２０−２に対して要求を行い、再度他の仮想パス識別子（ＶＰＩ）及び仮想チャネル識別子（ＶＣＩ）とその帯域の獲得を試み、獲得が可能であれば、再び、同様の処理により加入者端末（ｂ）１８に対してＢＧＮ信号を送出する。
【００５９】
このように、シグナリング仮想チャネル（ＳＶＣ）プロトコル制御部２０−３は、シグナリング仮想チャネル（ＳＶＣ）の確立が完了するまで、複数回同様の処理を繰り返す。但し、所定の回数繰り返してもシグナリング仮想チャネル（ＳＶＣ）の確立が成功しない場合には、加入者端末に対してＲＥＬＥＡＳＥ  ＣＯＭＰ（解放完了）メッセージを送信する。
【００６０】
シグナリング仮想チャネル（ＳＶＣ）プロトコル制御部２０−３は、加入者端末（ａ）１７と加入者端末（ｂ）１８との間の通信路の確立を確認すると、シグナリング（Ｓｉｇ）管理部２０−４に対して、加入者端末（ａ）へのシグナリング仮想チャネル（シグナリング仮想チャネル（ＳＶＣ））の切断を指示するため、ＥＮＤ信号送出指示を行う（３−１７）。
【００６１】
シグナリング（Ｓｉｇ）管理部２０−４は、この指示により、信号送信部２０−６、装置インタフェース制御部２１、ＳＳＣＯＰレイヤ制御部２２、ＡＴＭ交換機内各種装置２３を経由して、加入者端末（ａ）１７へＥＮＤ信号を送出する。（３−１８）
【００６２】
加入者端末（ａ）１７は、ＥＮＤ信号を受信するとＥＮＤ−ＡＣＫ（ＥＮＤ肯定応答）信号を送出し（３−１９）、シグナリング仮想チャネル（ＳＶＣ）プロトコル制御部２０−３は、加入者端末（ａ）１７からのＥＮＤ−ＡＣＫ信号を受信すると、加入者端末（ａ）１７とのシグナリング仮想チャネル（ＳＶＣ）を切断する。
【００６３】
又、シグナリング仮想チャネル（ＳＶＣ）プロトコル制御部２０−３は、同様に加入者端末（ｂ）１８のシグナリング仮想チャネル（ＳＶＣ）を切断するために、加入者端末（ｂ）１８にＥＮＤ信号を送信する指示を送出し（３−２０）、加入者端末（ｂ）１８からのＥＮＤ−ＡＣＫ信号を受信する（３−２１）と、加入者端末（ｂ）１８とのシグナリング仮想チャネル（ＳＶＣ）を切断する。
【００６４】
そして、以降、シグナリング仮想チャネル（ＳＶＣ）プロトコル制御部２０−３は、確立した通信路を切断する契機を以下から選択し、条件▲１▼〜▲３▼のいずれかが成立した場合、帯域管理部２０−２及びシグナリング仮想チャネル（ＳＶＣ）パス制御部２０−１に対して、該通信路の切断とその使用伝送帯域の解放を要求する。
【００６５】
▲１▼予め加入者端末毎に決められた通信時間が満了したとき。
▲２▼ｓｅｔｕｐ信号内に通信要求時間が設定され、その時間が満了したとき。
▲３▼加入者インタフェース装置、あるいはその他の装置に通信異常が検出され、通信が不可能な状態となったとき。
【００６６】
上記条件▲１▼又は▲２▼通信時間又は通信要求時間は、シグナリング仮想チャネル（ＳＶＣ）を設定した時点で、シグナリング（Ｓｉｇ）管理部２０−４がタイマ管理部２０−８にタイマ設定要求を行うことにより設定され、その設定時間経過後に通信路を強制切断するものである。
【００６７】
又、上記条件▲３▼は、通信端末の使用者が通信終了後、その電源を切断した場合等、通信が不可能な状態となったことを、加入者インタフェース装置等のレイヤ１により検出し、通信路を切断するものである。
【００６８】
このように、本発明は、シグナリング仮想チャネル（ＳＶＣ）サービス制御部２０にシグナリング（Ｓｉｇ）管理部２０−４を設け、シグナリング仮想チャネル（ＳＶＣ）プロトコル制御部２０−３、帯域管理部２０−２とのインタフェースを追加することにより、呼接続要求時のみシグナリング仮想チャネル（ＳＶＣ）を設定し、その時以外はシグナリング仮想チャネル（ＳＶＣ）を解放してしまうので、その分の通信路上の帯域を有効に利用することができる。
【００６９】
更に、異なるインタフェースを使用する加入者端末でも、シグナリング仮想チャネル（ＳＶＣ）設定の際には、加入者端末とＡＴＭ交換機システムとの間で、シグナリング用の仮想パス識別子（ＶＰＩ）及び仮想チャネル識別子（ＶＣＩ）に関して、相互に使用可能かどうかを問い合わせて決定するため、それぞれのインタフェースで登録されたシグナリング用の仮想チャネル識別子（ＶＣＩ）を意識することなく呼接続要求を行うことができる。
【００７０】
ここで、有効に利用される帯域を具体的な数値例により説明すると、１６０Ｍｂｐｓの対加入者インタフェース帯域を有する通信路の場合、加入者端末は１端末としてシグナリングリンク用に１．５Ｍｂｐｓを使用していたとする。この場合、０．９４％の損失となり、Ｎ−ＩＳＤＮの加入者（２Ｂ＋Ｄ）であれば、約１０加入者が余分に収容できる計算となる。（１５００ｋ／（１６Ｋ＋６４×２））
【００７１】
又、該インタフェース帯域でＭＰＥＧ２にて動画転送（映像・音声で約５Ｍｂｐｓ）を行う場合、シグナリング用に１Ｍｂｐｓ使用したと仮定すると、従来のシステムでは、２６加入者（１６０Ｍｂｐｓ／（５Ｍｂｐｓ＋１Ｍｂｐｓ））が接続可能であったのに対し、本発明による交換機システムでは、３２加入者（１６０Ｍｂｐｓ／５Ｍｂｐｓ）が接続可能となる。その差は実に６加入者となり、２３％の性能向上となる。
【００７２】
本発明の具体的な利用分野としては、例えば、チェーン店等の売り上げデータを本部に転送する通信システム等が挙げられる。このような通信システムでは、電話等のサービス形態とは異なり、リアルタイムでデータを送受する必要はなく、例えば翌朝までにデータの送信が完了していれば良い。
【００７３】
従って、発呼時に万が一シグナリング仮想チャネル（ＳＶＣ）が捕捉できず、通信呼の確立が失敗した場合でも、ある一定時間間隔をおいて再度発呼して送信すれば良く、従来のように常に発呼可能となるように仮想チャネル（ＳＶＣ）の帯域を常時空けておく必要はない。
【００７４】
なお、ＡＴＭ交換機システムには、本発明によるシグナリング仮想チャネルの設定制御を行うインタフェースの加入者端末と、従来のシグナリング仮想チャネルの設定制御を行うインタフェースの加入者端末とを同時に収容することが可能であり、加入者端末のサービスクラス設定登録により、それらのインタフェースいずれか一方を提供することができる。
【００７５】
【発明の効果】
以上説明したように、本発明によれば、呼接続要求が発生したときのみシグナリング仮想チャネル（ＳＶＣ）を設定し、通信路の設定が完了した後はシグナリング仮想チャネル（ＳＶＣ）を解放することにより、通信路の全ての帯域を通信情報の転送に使用することができ、通信路の帯域を有効に利用することができる。
【００７６】
又、シグナリング用の仮想パス識別子（ＶＰＩ）及び仮想チャネル識別子（ＶＣＩ）を固定的に割り当てず、ＡＴＭ交換機システムが収容する加入者からの呼接続要求、又は、ＡＴＭ交換機システムが収容する加入者への着信通知時に、シグナリング用の仮想パス識別子（ＶＰＩ）及び仮想チャネル識別子（ＶＣＩ）を割り付けてシグナリング仮想チャネル（ＳＶＣ）を確立することにより、ＡＴＭ交換機システムとのインタフェースが異なる通信端末が、それぞれのＡＴＭ交換機システムに登録されたシグナリング用の仮想パス識別子（ＶＰＩ）及び仮想チャネル識別子（ＶＣＩ）の固有値を認識することなく、シグナリング情報を送受することができる。
【図面の簡単な説明】
【図１】本発明の実施の形態のＡＴＭ交換機システムの構成を示す図である。
【図２】本発明の実施の形態のＡＴＭ交換機システムのプロセッサ内の機能部を示す図である。
【図３】本発明の実施の形態のシグナリング仮想チャネル（ＳＶＣ）の設定及び解放のシーケンスを示す図である。
【符号の説明】
１０  ＡＴＭ交換機システム
１１〜１３  加入者インタフェース装置
１４  ＡＴＭスイッチ
１５  信号制御装置
１６  プロセッサ
１７，１８  加入者端末機器
１９  サーバ
【図１】
0003684526.tif 000002
【図２】
0003684526.tif 000003
【図３】
0003684526.tif 000004